(57)【要約】【課題】画像読取部で読み取った画像データを設定した圧縮率に基づいて圧縮処理した圧縮画像データが、当該圧縮率に基づいてメモリに設定した格納領域に格納できないときに、作業負担の増加や処理効率の低下を招くことなく、当該圧縮画像データをメモリに格納することができる画像処理装置を提供する。【解決手段】画像読取部３で原稿画像が読み取られてメモリ６に格納された画像データを圧縮率設定部２１で設定された圧縮率で圧縮処理し、圧縮画像データを前記メモリ６に格納する圧縮処理部４０と、前記圧縮画像データの格納領域をメモリ６に設定して前記圧縮処理部４０を起動する制御部７１とを備えた画像処理装置１で、前記圧縮処理部４０から容量超過信号を受信すると、前記圧縮率設定部２１で設定された圧縮率に基づいて設定した前記格納領域の容量より大きな容量の格納領域を再設定して前記圧縮処理部４０を再起動するように前記制御部７１を構成する。【選択図】図２
2010087788.tif 000002
【特許請求の範囲】
【請求項１】
原稿を一枚ずつ搬送して原稿画像を読み取る画像読取部と、前記画像読取部で読み取られた画像データが格納されるメモリと、前記メモリに格納された画像データを読み出して圧縮処理し、圧縮画像データを前記メモリに格納する圧縮処理部と、前記圧縮処理部による画像データの圧縮率を設定する圧縮率設定部と、前記メモリに対して前記圧縮画像データの格納領域を設定して、前記圧縮処理部を起動する制御部とを備えている画像処理装置であって、
前記制御部は、前記圧縮率設定部により設定された圧縮率に基づいて、前記格納領域を設定して前記圧縮処理部を起動し、前記圧縮処理部から前記格納領域の容量超過信号を受信すると、前記格納領域の容量よりも大きな容量の格納領域を再設定して前記圧縮処理部を再起動する画像処理装置。
【請求項２】
前記圧縮率設定部は、前記圧縮率が複数段階に設定可能に構成され、前記制御部は、前記圧縮処理部から前記格納領域の容量超過信号を受信すると、前記圧縮率設定部で設定された圧縮率よりも一段階小さな圧縮率に対応する容量の格納領域を再設定する請求項１記載の画像処理装置。
【発明の詳細な説明】
【技術分野】
【０００１】
本発明は、原稿を一枚ずつ搬送して原稿画像を読み取る画像読取部と、画像読取部で読み取られた画像データが格納されるメモリと、メモリに格納された画像データを読み出して圧縮処理し、圧縮画像データをメモリに格納する圧縮処理部と、圧縮処理部による画像データの圧縮率を設定する圧縮率設定部と、メモリに対して圧縮画像データの格納領域を設定して、圧縮処理部を起動する制御部とを備えている画像処理装置に関する。
【背景技術】
【０００２】
従来、メモリ資源を有効活用するように設計された複写機などの画像処理装置は、スキャナなどの画像読取部で原稿画像から所定のライン毎に読み取った画像データを圧縮してメモリに蓄積する。当該画像データを圧縮処理した圧縮画像データがメモリに所定容量蓄積されると、当該圧縮画像データをメモリから読み出し、画像処理を施して出力用画像データを生成し、当該出力用画像データに基づいてプリンタエンジンなどの画像形成部で出力画像を形成して出力する。
【０００３】
このような画像処理装置の一例として、例えば特許文献１には、記録速度よりも速い所定速度で読み取った画像データをメモリ内に蓄積し、上記メモリから画像データを読み出し、記録出力するように構成され、上記読み取った画像データを所定の符号データへ符号化する符号化手段と、上記符号データを蓄積する画像蓄積メモリと、上記符号データを復号する復号化手段と、上記画像蓄積メモリから上記復号化手段へ任意サイズ毎のデータを連続的に転送するＤＭＡ転送手段と、上記ＤＭＡ転送手段によるデータ転送におけるサイズを制御するデータ転送制御手段と、上記復号化手段によって復号化された画像データをプリンタ部が印字可能な解像度へ変換し印字データとして供給する記録画像処理手段と、を有し、各原稿ページに対して所定サイズ以上の符号データが蓄積された時点で、上記復号化手段へのデータ転送とプリンタ部による印字処理とを開始させ、読み取りデータの圧縮蓄積と蓄積データの伸長記録とを並列処理し、上記データ転送制御手段は、転送済みデータ量と未転送データの増加量とに応じて、次回のＤＭＡ転送サイズを可変的に決定することを特徴とする画像形成装置が開示されている。
【特許文献１】特開２００３−２７４０６１公報
【発明の開示】
【発明が解決しようとする課題】
【０００４】
圧縮画像データを格納するためメモリに設定された格納領域は、当該圧縮画像データの圧縮率に基づいて予め容量が設定される。例えば、各圧縮率に対する容量として、ビジネスなどでよく用いられる原稿（例えば、一つの図表と文章を含む原稿画像）の画像データを様々な圧縮率で圧縮処理した際の圧縮画像データの容量が実験などを通じてＲＯＭなどに格納されており、設定された圧縮率に基づいてＲＯＭが参照され、対応する容量の格納領域がメモリに設定される。
【０００５】
そのため、原稿画像が複雑な被写体を写した写真などでなるときには、メモリに設定した格納領域に圧縮画像データを格納しきれない場合がある。このようなときには、高い圧縮率に設定し直して、改めて画像読取部で当該原稿画像を最初から再読み込みさせなければならず、作業効率が低下するとともに作業負担の増加を招いていた。
【０００６】
本発明の目的は、上述の問題に鑑み、画像読取部で読み取った画像データを設定した圧縮率に基づいて圧縮処理した圧縮画像データが、当該圧縮率に基づいてメモリに設定した格納領域に格納できないときに、作業負担の増加や処理効率の低下を招くことなく、当該圧縮画像データをメモリに格納することができる画像処理装置を提供する点にある。
【課題を解決するための手段】
【０００７】
上述の目的を達成するため、本発明による画像処理装置の第一の特徴構成は、特許請求の範囲の書類の請求項１に記載した通り、原稿を一枚ずつ搬送して原稿画像を読み取る画像読取部と、前記画像読取部で読み取られた画像データが格納されるメモリと、前記メモリに格納された画像データを読み出して圧縮処理し、圧縮画像データを前記メモリに格納する圧縮処理部と、前記圧縮処理部による画像データの圧縮率を設定する圧縮率設定部と、前記メモリに対して前記圧縮画像データの格納領域を設定して、前記圧縮処理部を起動する制御部とを備えている画像処理装置であって、前記制御部は、前記圧縮率設定部により設定された圧縮率に基づいて、前記格納領域を設定して前記圧縮処理部を起動し、前記圧縮処理部から前記格納領域の容量超過信号を受信すると、前記格納領域の容量よりも大きな容量の格納領域を再設定して前記圧縮処理部を再起動する点にある。
【０００８】
圧縮画像データが予め設定した格納領域に格納しきれないとき、高い圧縮率に変更して画像読取部による原稿画像の読み取りを再実行しなくても、圧縮処理部は、制御部によって先の容量よりも大きな容量が設定された格納領域に、当該圧縮画像データを格納することができる。原稿画像の再読み取りを実行することによる作業負担の増加や処理効率の低下を確実に防止することができるのである。
【０００９】
同第二の特徴構成は、同請求項２に記載した通り、上述の第一特徴構成に加えて、前記圧縮率設定部は、前記圧縮率が複数段階に設定可能に構成され、前記制御部は、前記圧縮処理部から前記格納領域の容量超過信号を受信すると、前記圧縮率設定部で設定された圧縮率よりも一段階小さな圧縮率に対応する容量の格納領域を再設定する点にある。
【００１０】
圧縮率が小さくなると、圧縮画像データの容量は大きくなるため、当該圧縮画像データに対応して制御部がメモリに再設定する格納領域の容量は大きくなる。従って、当該格納領域の容量に対応する圧縮率よりも一段階大きな圧縮率で圧縮された圧縮画像データを当該格納領域に格納することができる可能性は高くなる。
【発明の効果】
【００１１】
以上説明した通り、本発明によれば、画像読取部で読み取った画像データを設定した圧縮率に基づいて圧縮処理した圧縮画像データが、当該圧縮率に基づいてメモリに設定した格納領域に格納できないときに、作業負担の増加や処理効率の低下を招くことなく、当該圧縮画像データをメモリに格納することができる画像処理装置を提供することができるようになった。
【発明を実施するための最良の形態】
【００１２】
以下に、本発明を適用した画像処理装置の一例である複写機について説明する。
【００１３】
図１に示すように、複写機１は、マンマシンインタフェースである操作部２０と、原稿画像を読み取って画像データを入力するスキャナ３０と、スキャナ３０から入力された画像データを、操作部２０で設定されたコピー枚数やコピー濃度などのコピー条件に基づいて画像処理し、出力用画像データを生成する画像処理部４と、画像処理部４により生成された出力用画像データに基づいて画像を形成し、当該画像を用紙に転写、熱定着して当該用紙を出力するプリンタエンジン５０を備えている。
【００１４】
操作部２０は、コピー条件を設定するソフトウェアキーが配置された操作画面を表示する表示部２０ａと、コピー枚数等を入力する数値キーやコピー開始時に操作するコピーキーなどのハードウェアキー２０ｂを備えている。
【００１５】
本発明の画像読取部に該当するスキャナ３０は、不図示の自動原稿送装置（ＡＤＦ：Automatic Document Feeder）を備え、ＡＤＦの原稿載置部に載置された原稿を一枚ずつ搬送して夫々の原稿画像を読み取る。予め設定した所定ライン数毎に原稿画像を読み取って画像データを生成し、生成した所定ライン数毎の画像データをシェーディング補正部でシェーディング補正し、ライン補正部でライン補正した後、当該画像データをＤＭＡ転送してメモリ６０に格納する。
【００１６】
プリンタエンジン５０は、電子写真方式を採用し、感光体と感光体の周方向に備えた露光装置、現像装置、転写装置を備え、また、定着装置を備えている。出力用画像データに基づいて露光装置から照射したレーザー光で感光体を走査して静電潜像を形成し、現像装置でトナー像として当該静電潜像を顕像する。転写装置で当該トナー像が転写された用紙を定着装置で熱定着し、当該用紙を排紙する。
【００１７】
操作部２０を制御する操作制御部２と、スキャナ３０を制御するスキャナ制御部３と、画像処理部４と、プリンタエンジン５０を制御するエンジン制御部５と、複写機１を統括制御するシステム制御部７は、コマンドバス（図中、細線で示されるバス）及び画像バス（図中、太線で示されるバス）を介して夫々接続されている。コマンドバス及び画像バスには、スキャナ３０で読み取られた画像データが格納されるメモリ６０がメモリ制御部６を介して接続されている。
【００１８】
操作制御部２とスキャナ制御部３とエンジン制御部５とシステム制御部７とメモリ制御部６は夫々、ＣＰＵとＣＰＵの動作プログラムを格納したＲＯＭとＣＰＵの作業領域であるＲＡＭと周辺回路などを備えた基板でなる。各ＣＰＵは、動作プログラムを夫々のＲＯＭから読み出して実行し、当該動作プログラムに規定されたアルゴリズムに従って動作する。
【００１９】
画像処理部４は画像処理用ＡＳＩＣで構成され、操作部２０で設定されたコピー条件を実行する複数の画像処理ブロックを備えている。例えば、図２に示すように、画像データを回転／変倍処理する回転／変倍処理部、画像データの色空間を変換する色空間変換部、エッジ強調などのフィルタ処理を実行するフィルタ処理部、画像データを二値化して出力用画像データを生成する二値化処理部などを備えている。
【００２０】
図２は、本発明に関する主要な機能ブロックを示す図である。図２に示すように、画像処理部４は、複数の画像処理ブロックの一つとして圧縮処理部４０を備えている。圧縮処理部４０は、メモリ６０に格納された画像データを読み出して圧縮処理し、圧縮画像データ（画像処理部４が圧縮処理を施した画像データ）をメモリ６０に格納する。
【００２１】
なお、画像処理部４はまた、メモリ６０に格納された圧縮画像データを読み出し、伸張処理して後段の画像処理ブロックに出力する伸張処理部を備えている。当該伸張処理部も画像処理部４に備えられた画像処理ブロックの一つである。圧縮処理部４０及び伸張処理部は、画像データまたは圧縮画像データをＤＭＡ転送でメモリ６０に格納し、またはメモリ６０から読み出すように構成されている。
【００２２】
操作部２０は、圧縮処理部４０による画像データの圧縮率を設定する圧縮率設定部２１を備えている。圧縮率設定部２１は操作部２０に備えられたＣＰＵが動作プログラムを実行して操作部２０に具現化される機能ブロックである。
【００２３】
圧縮率設定部２１は、圧縮率が複数段階に設定可能に構成されている。当該圧縮率はスキャナ３０のスキャン条件を設定する操作画面を操作して設定することができる。
【００２４】
図３（ａ）は、初期設定モードのスキャナ３０のスキャン条件を設定する際に最初に操作する操作画面（以下、「初期設定画面」と記載する。）を示す図である。初期設定モードとは、複写機１に電源が投入されてコピーが可能となった状態、または操作部２０のハードウェアキー２０ｂの一つであるリセットキーが操作されて、設定されたコピー条件がリセットされた状態である。
【００２５】
ハードウェアキー２０ｂの一つである「システムメニュー」キーを操作すると、初期設定画面が表示部２０ａに表示され、初期設定画面に配置された「スキャナ初期設定」キーを操作すると、図３（ｂ）に示す操作画面（以下、「画質設定画面」と記載する。）が表示される。
【００２６】
画質設定画面には、圧縮画像データのファイル形式及び画質（圧縮率）を設定するソフトウェアキーが配置されている。画質設定画面の左側には圧縮画像データのファイル形式を選択する「ＰＤＦ」、「ＴＩＦＦ」、「ＪＰＥＧ」キーが配置され、中央から右側には圧縮画像データの画質を選択する「１」から「５」の「画質」キーが配置されている。
【００２７】
圧縮率設定部２１は、画質設定画面に対して、「ＰＤＦ」、「ＴＩＦＦ」、「ＪＰＥＧ」キーの何れかが操作されて、「１」から「５」の何れかの「画質」キーが選択操作された後、「ＯＫ」キーが操作されると、初期設定モードで画像処理部４０が生成する圧縮画像データのファイル形式と画質（圧縮率）を、当該選択されたファイル形式と画質（圧縮率）に設定する。このように、圧縮率設定部２１は、選択したファイル形式毎に五段階で圧縮率を設定することができる。
【００２８】
初期設定モードのファイル形式と圧縮率とは異なるファイル形式と圧縮率を設定する際には、図３（ｃ）に示す操作画面（以下、「スキャン条件設定画面」と記載する。）を操作してこれらの設定を行なうことができる。
【００２９】
スキャン条件設定画面は、ハードウェアキー２０ｂの一つである「スキャン」キーが操作されたときに表示部２０ａに表示される操作画面である。スキャン条件設定画面には、スキャナ３０のスキャン条件を設定するソフトウェアキーが配置されている。
【００３０】
スキャン条件設定画面で「ファイル形式」キーが操作されると、画質設定画面が表示される。圧縮率設定部２１は、画質設定画面で「ＯＫ」キーが操作されると、画像処理部４０が生成する圧縮画像データのファイル形式と画質（圧縮率）を、選択されたファイル形式と画質（圧縮率）に設定する。
【００３１】
システム制御部７は、メモリ６０に対して圧縮画像データの格納領域を設定して、圧縮処理部４０を起動する圧縮制御部７０を備えている。本発明の制御部である圧縮制御部７０は、システム制御部７に備えられたＣＰＵが動作プログラムを実行してシステム制御部７に具現化される機能ブロックである。
【００３２】
システム制御部７が備えるＲＯＭには、圧縮率設定部２１が設定する各圧縮率に対応して、メモリ６０に設定すべき格納領域の各容量が設定されている。
【００３３】
圧縮制御部７０は、操作部２０でコピーキーが操作されて、圧縮率設定部２１で設定された圧縮率に対応する圧縮率設定信号が圧縮率設定部２１から入力されると、当該ＲＯＭを参照して、画像データの読み取り対象である原稿一枚毎に、当該圧縮率に対応する容量の格納領域をメモリ６０に設定する。
【００３４】
具体的に、圧縮制御部７０は、原稿一枚毎に、且つ、画像処理部４で圧縮処理する所定容量の画像データ毎に、各画像データの格納領域の先頭アドレスと、各画像データに対応する圧縮画像データの格納領域の先頭アドレスと、各格納領域に格納可能な圧縮画像データの容量などを規定した参照用ファイルを生成し、当該参照用ファイルをメモリ６０に格納する。
【００３５】
各格納領域に対応する容量は、当該参照ファイルを参照することで知得することができ、このようにして、圧縮制御部７０は、圧縮率設定部２１により設定された圧縮率に対応する容量の格納領域を設定する。
【００３６】
圧縮処理部４０は、圧縮制御部７０からの起動信号により起動し、参照用ファイルを参照して、メモリ６０に設定された格納領域から所定容量（圧縮処理単位である一バンド）毎に画像データを読み出す。圧縮率設定部２１で設定された圧縮率に基づいて、符号化して当該所定容量の画像データを圧縮し、圧縮画像データをメモリ６０に設定された格納領域に格納する。
【００３７】
ところで、写真原稿などの圧縮が困難な原稿画像の画像データから生成した圧縮画像データは、十分な圧縮効果を得ることが難しい。このようなとき、圧縮処理部４０は、圧縮率設定部２１で設定された圧縮率に基づいて設定された容量の格納領域に、圧縮画像データを格納しきれないことがある。
【００３８】
この場合、圧縮処理部４０は動作を停止するため、オペレータは、画質設定画面を操作して前回よりも大きな圧縮率を設定した上で、ＡＤＦに原稿をセットし直してコピーキーを操作し、スキャナ３０による画像読み取りから再度実行しなければならない。
【００３９】
そこで、圧縮制御部７０は、圧縮率設定部２１により設定された圧縮率に基づいて、格納領域を設定して圧縮処理部４０を起動し、圧縮処理部４０から格納領域の容量超過信号を受信すると、格納領域の容量よりも大きな容量の格納領域を再設定して圧縮処理部４０を再起動するように構成されている。
【００４０】
容量超過信号とは、格納領域に格納している圧縮画像ファイルの容量が、当該格納領域に設定された容量より大きく、当該圧縮画像データを当該格納領域に格納しきれないときに、圧縮処理部４０が圧縮制御部７０に対して出力する信号である。
【００４１】
圧縮制御部７０は、圧縮処理部４０から格納領域の容量超過信号を受信すると、圧縮率設定部２１で設定された圧縮率よりも一段階小さな圧縮率に対応する容量の格納領域を再設定する。
【００４２】
具体的に、圧縮制御部７０は、読み取り対象である原稿一枚に対応する全ての格納領域の容量を、一段階小さな圧縮率に対応する容量に規定し直した参照用ファイルを生成し、メモリ６０に格納して再設定を行なう。
【００４３】
圧縮処理部４０は、圧縮制御部７０からの起動信号により再起動し、圧縮率設定部２１で設定された圧縮率に基づいて、当該原稿に対する全ての画像データを圧縮処理し、容量を設定し直した各格納領域に各圧縮画像データを格納する。
【００４４】
図４に示すフローチャートを用いて、圧縮処理部４０による圧縮画像データのメモリ６０への格納動作について説明する。
【００４５】
圧縮率設定部２１で画像データの圧縮率が設定され（Ｓ１）、コピーキーが操作されて原稿画像の読み取りが開始されると（Ｓ２）、圧縮制御部７０は、圧縮率設定部２１で設定された圧縮率に基づいて、読み取り対象原稿の圧縮画像データに対応する格納領域を設定する（Ｓ３）。
【００４６】
スキャナ３０で読み込まれてメモリ６０に格納された画像データが一バンド分蓄積すると（Ｓ４）、圧縮処理部４０は当該画像データをメモリ６０から読み出し（Ｓ５）、符号化により圧縮処理し（Ｓ６）、圧縮画像データを対応する格納領域に格納する（Ｓ７）。
【００４７】
圧縮画像データを当該格納領域に格納しきれないとき（Ｓ８）、圧縮処理部４０は容量超過信号を出力する（Ｓ９）。圧縮制御部７０は、圧縮率設定部２１で設定された圧縮率の一段階小さな圧縮率に対応する容量の格納領域を再設定し（Ｓ１０）、圧縮処理部４０を再起動する（Ｓ１１）。以後、ステップ５以降の動作が繰り返される。
【００４８】
圧縮画像データを当該格納領域に格納し終えたとき（Ｓ８）、当該圧縮画像データが読み取り対象原稿の最後の圧縮画像データでなければ（Ｓ１２）、圧縮処理部４０は、次の参照データを参照してステップＳ４からの動作を実行する。
【００４９】
当該圧縮画像データが読み取り対象原稿の最後の圧縮画像データであり（Ｓ１２）、当該読み取り対象原稿が最後の原稿でなければ（Ｓ１３）、圧縮制御部７０は、次の読み取り対象原稿の圧縮画像データに対応する格納領域を設定する（Ｓ３）。以後、ステップＳ４からの動作が繰り返される。
【００５０】
当該読み取り対象原稿が最後の原稿であれば（Ｓ１３）、処理は終了する。
【００５１】
以下、別実施形態について説明する。
【００５２】
上述の実施形態では、圧縮制御部７０は、圧縮処理部４０から容量超過信号を受信すると、読み取り対象原稿一枚に対応する全ての格納領域の容量を、一段階小さな圧縮率に対応する容量に設定し直すものとしたが、これに限定するものではない。
【００５３】
例えば、格納領域に格納し終えることができなかった圧縮画像データに対応する格納領域以降（当該格納領域を含む）の各格納領域の容量を、一段階小さな圧縮率に対応する容量に設定し直すものであってもよい。既に格納領域に格納された圧縮画像データを改めて格納し直さないので、圧縮画像データを圧縮処理部４０の処理効率が向上する。
【００５４】
また、例えば、予め設定された容量と格納領域の容量を加えた容量または予め設定された所定容量に、各格納領域の容量を設定し直すものであってもよい。この場合、格納領域の再設定に関する圧縮処理部７０の処理負荷が軽減される。
【００５５】
さらに、例えば、格納領域に格納しきれなかった部分の圧縮画像データの容量と当該格納領域の容量を加えた容量に、各格納領域の容量を設定し直すものであってもよい。この場合、圧縮処理部４０は、格納領域に圧縮画像データを格納しきれなかったときに、格納しきれなかった部分の容量を対応する参照用ファイルに書き込む。そして、圧縮制御部７０は、当該参照ファイルを参照して当該容量を知得するのである。当該構成を採用することで、メモリ資源の有効活用を促進することができる。
【００５６】
ここで、圧縮制御部７０は、上述した実施形態での構成に加えて、対応する圧縮画像データの容量より格納領域の容量が大きいときに、当該格納領域の容量を先に設定した容量よりも小さい容量に設定するように構成されていてもよい。
【００５７】
この場合、例えば、圧縮処理部４０は、圧縮画像データを対応する格納領域に格納し終えると、当該圧縮画像データの容量を対応する参照用ファイルに書き込む。圧縮制御部７０は、読み取り対象原稿の圧縮画像データを圧縮処理部４０がメモリ６０に格納し終えたとき、当該原稿に対応する参照用ファイルを参照して、当該圧縮画像データの容量を知得する。
【００５８】
そして、当該容量が格納領域に設定された容量より小さければ、圧縮処理部４０は、圧縮率設定部２１で設定された圧縮率よりも一段階大きな圧縮率に対応する容量の格納領域を再設定する。このような構成を採用することで、メモリ資源の有効利用が促進される。
【００５９】
上述の実施形態では、圧縮制御部７０は、原稿一枚毎に参照用ファイルを生成するものとしたが、予め設定した所定枚数の原稿毎に参照用ファイルを生成するものであってもよい。
【００６０】
上述した実施形態では、本発明の画像処理装置の一例となる複写機１について説明したが、本発明は複写機以外の画像処理装置に対しても有効である。例えば、ハードディスク等の画像記憶部を備えた画像処理装置や、複写機能、スキャナ機能、ファクシミリ機能、メール機能など複数の機能を備えた所謂複合機であっても、本発明を採用することができる。
【００６１】
上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００６２】
【図１】複写機の機能ブロック図
【図２】本発明に関する主要機能ブロックの説明図
【図３】（ａ）初期設定モードの各条件を設定する操作画面、（ｂ）は圧縮画像データの画質などを設定する操作画面、（ｃ）スキャン条件を設定する操作画面
【図４】圧縮処理部の圧縮画像データ格納動作を説明するフローチャート
【符号の説明】
【００６３】
１：画像処理装置（複写機）
２１：圧縮率設定部（操作部）
３０：画像読取部（スキャナ）
４０：圧縮処理部（画像処理部）
６０：メモリ
７０：制御部（圧縮制御部）
【図１】
2010087788.tif 000003
【図２】
2010087788.tif 000004
【図３】
2010087788.tif 000005
【図４】
2010087788.tif 000006